(57)【要約】【課題】製造コストの低減と設計の効率化とを図る。【解決手段】製品の設計仕様を入力する設計仕様入力部３と、過去に設計した製品の情報を設計仕様値と構成する部品毎に製造に必要な設備と関連付けて格納する設計事例データベース５１と、設備毎に、対応仕様の範囲と対応範囲の仕様の製品を製造するために必要な付加設備の情報を関連付けて格納する設備情報データベース５２と、入力された設計仕様から既存の基本設備のみで製造可能か、既存の基本設備と付加設備（治具、金型パーツなど）を用いて製造可能かの条件で設計事例データベースから類似品を選択する事例検索部２と、類似品検索結果を表示する結果表示部４とからなる。製品を構成する部品単位で製造する設備の対応状況で類似度を判定する事で、要求仕様を満たすために必要な設備の投資の必要性が判断できる。【選択図】図１
2006092484.tif 000002
【特許請求の範囲】
【請求項１】
製品の設計仕様を入力する設計仕様入力部と、過去に設計した製品の情報を設計仕様値と構成する部品毎に製造に必要な設備と関連付けて格納する設計事例データベースと、設備毎に、対応仕様の範囲と対応範囲の仕様の製品を製造するために必要な付加設備の情報を関連付けて格納する設備情報データベースと、入力された設計仕様から既存の基本設備のみで製造可能か、既存の基本設備と付加設備を用いて製造可能かの条件で設計事例データベースから類似品を選択する事例検索部と、類似品検索結果を表示する結果表示部とからなることを特徴とする設計支援システム。
【請求項２】
事例検索部は、入力された設計仕様に対応するために既存の基本設備に、新たな付加設備を追加すれば製造可能になる場合も設計事例データベースから類似品として選択する機能を備えていることを特徴とする請求項１記載の設計支援システム。
【請求項３】
事例検索部は、入力された設計仕様に対応した類似品を選択する際に、既存の基本設備のみで製造可能であるか、既存の基本設備に既存の付加設備を追加すれば製造可能であるか、既存の基本設備に新規に付加設備を追加すれば製造可能であるかの夫々の場合に対して類似度決定用の重み付け部を備えて、製品を構成する各々の部品毎に設定された重み値の合計を類似度とするものであることを特徴とする請求項１または２記載の設計支援システム。
【請求項４】
事例検索部は、入力された設計仕様に対応した類似品を選択する際に、製品を構成する各々の部品毎に類似度への関与度合いの重み付けを行う重み付け部を備えて、部品毎に合計した重み値に部品毎の類似度への関与度合いの重み値を乗算した値を類似度とするものであることを特徴とする請求項３記載の設計支援システム。
【請求項５】
設備情報データベースは、保有台数および製造能力を関連付けで格納しており、事例検索部は、各設備稼動状況から該当設備の転用可能かどうかを判定する設備転用可能判断機能を備えていることを特徴とする請求項１または２記載の設計支援システム。
【請求項６】
設備製造や付加設備製造の概算費用を格納した設備製造費用データベースを有するとともに、入力された設計仕様に応じて類似度を判定する際に、上記設備製造費用データベースを参照して各々の部品の概算製造費用を算出する製造費用概算演算部を備えていることを特徴とする請求項１〜５のいずれか１項に記載の設計支援システム。
【請求項７】
製品を構成する部品を製造する設備や付加設備を製作し製造可能になるまでの日数を格納した製造準備日数データベースを備えているとともに、入力された設計仕様に応じて類似度を判定する際に、上記製造準備日数データベースを参照して部品の製造準備に要する日数を算出する製造準備日数算出部を備えていることを特徴とする請求項１〜５のいずれか１項に記載の設計支援システム。
【請求項８】
設備情報データベースが設備の修繕時の概算費用および修繕にかかる日数を格納しているとともに、事例検索部は修繕が必要な設備について修繕にかかる費用および日数を考慮して類似度を判定する修繕対応機能を備えていることを特徴とする請求項６または７記載の設計支援システム。
【請求項９】
設計事例データベースは、製品の仕様を示す設計パラメータと、各々の製品を作成するために使用する設備のうち、付加設備を利用する事で他品番を製造できる設備に関して、製品を構成する部品毎に使用する設備を識別する値を格納しており、設備データベースは、製品を構成する部品の製造をする設備単位に、その設備が対象となる設計仕様の基準値と付加設備を使用する事により対応可能となる仕様の範囲とその設備が付加設備を使用することにより対応可能となる仕様に関して既に付加設備作成している場合には、その仕様値及びその仕様値に対応する付加設備の識別用値を格納していることを特徴とする請求項１記載の設計支援システム。
【発明の詳細な説明】
【技術分野】
【０００１】
本発明は、類似した事例が多数存在している製品の設計支援のための設計支援システムに関するものである。
【背景技術】
【０００２】
受注品の設計支援のためのシステムとして、設計事例データベースを用意し、要求仕様で設計事例を検索して類似案を回答するものが多数提案されている。例えば特開平９−１７９８９２号公報にはある範囲の要求仕様として満足する部品をパラメトリックなＣＡＤデータとして定義しておく事で、自動的にＣＡＤデータを連動変形させて組合わせて製品を設計する仕組みが提案されており、十分な設計知識を持たない設計者でも容易に流用設計できる。
【０００３】
この場合、要求仕様の範囲を満たす設計を自動的にできるが、その際、製造のために必要な設備（たとえば金型）を新たなに作成しなくてもすむかどうかの判断ができず、いたずらに新しい設備を増やしてしまうばかりで製造コストの低減にはつながらない。
【特許文献１】特開平９−１７９８９２号公報
【発明の開示】
【発明が解決しようとする課題】
【０００４】
本発明は上記の従来の問題点に鑑みて発明したものであって、製造コストの低減と設計の効率化とを図ることができる設計支援システムを提供することを課題とするものである。
【課題を解決するための手段】
【０００５】
上記課題を解決するために本発明に係る設計支援システムは、製品の設計仕様を入力する設計仕様入力部と、過去に設計した製品の情報を設計仕様値と構成する部品毎に製造に必要な設備と関連付けて格納する設計事例データベースと、設備毎に、対応仕様の範囲と対応範囲の仕様の製品を製造するために必要な付加設備の情報を関連付けて格納する設備情報データベースと、入力された設計仕様から既存の基本設備のみで製造可能か、既存の基本設備と付加設備（治具、金型パーツなど）を用いて製造可能かの条件で設計事例データベースから類似品を選択する事例検索部と、類似品検索結果を表示する結果表示部とからなることに特徴を有している。
【０００６】
製品を構成する部品単位で製造する設備の対応状況で類似度を判定する事で、要求仕様を満たすために必要な設備の投資の必要性が判断できるようにしたものである。
【０００７】
上記事例検索部は、入力された設計仕様に対応するために既存の基本設備に、新たな付加設備を追加すれば製造可能になる場合も設計事例データベースから類似品として選択する機能を備えていることが好ましく、また、入力された設計仕様に対応した類似品を選択する際に、既存の基本設備のみで製造可能であるか、既存の基本設備に既存の付加設備を追加すれば製造可能であるか、既存の基本設備に新規に付加設備を追加すれば製造可能であるかの夫々の場合に対して類似度決定用の重み付け部を備えて、製品を構成する各々の部品毎に設定された重み値の合計を類似度とするものであることが好ましい。特に後者の場合、事例検索部は、入力された設計仕様に対応した類似品を選択する際に、製品を構成する各々の部品毎に類似度への関与度合いの重み付けを行う重み付け部を備えて、部品毎に合計した重み値に部品毎の類似度への関与度合いの重み値を乗算した値を類似度とするものであると、より好ましいものとなる。
【０００８】
設備情報データベースが、保有台数および製造能力を関連付けで格納しており、事例検索部が、各設備稼動状況から該当設備の転用可能かどうかを判定する設備転用可能判断機能を備えていたり、設備製造や付加設備製造の概算費用を格納した設備製造費用データベースを有するとともに、入力された設計仕様に応じて類似度を判定する際に、上記設備製造費用データベースを参照して各々の部品の概算製造費用を算出する製造費用概算演算部を備えていてもよい。
【０００９】
また製品を構成する部品を製造する設備や付加設備を製作し製造可能になるまでの日数を格納した製造準備日数データベースを備えているとともに、入力された設計仕様に応じて類似度を判定する際に、上記製造準備日数データベースを参照して部品の製造準備に要する日数を算出する製造準備日数算出部を備えていることも好ましい。
【００１０】
設備情報データベースが設備の修繕時の概算費用および修繕にかかる日数を格納しているとともに、事例検索部は修繕が必要な設備について修繕にかかる費用および日数を考慮して類似度を判定する修繕対応機能を備えているものであってもよい。
【００１１】
更には、設計事例データベースは、製品の仕様を示す設計パラメータと、各々の製品を作成するために使用する設備のうち、付加設備を利用する事で他品番を製造できる設備に関して、製品を構成する部品毎に使用する設備を識別する値を格納しており、設備データベースは、製品を構成する部品の製造をする設備単位に、その設備が対象となる設計仕様の基準値と付加設備を使用する事により対応可能となる仕様の範囲とその設備が付加設備を使用することにより対応可能となる仕様に関して既に付加設備作成している場合には、その仕様値及びその仕様値に対応する付加設備の識別用値を格納しているものも好ましい。
【発明の効果】
【００１２】
本発明は、類似例の提示の際に要求仕様を満たすために必要な設備の投資の必要性が判断できるために、些細な仕様の相違により新たに製造のための設備を作成する必要がある場合には、ユーザに既に設備を保有している類似仕様の商品を代替で提案する事ができ、ユーザに対しての短納期と低価格での提案、およびメーカとして既存設備を使用することによる製造コストの低減と設計の効率化を実現することができる。
【発明を実施するための最良の形態】
【００１３】
以下、本発明を添付図面に示す実施形態に基いて説明すると、この設計支援システムは、図１に示すように、設計仕様入力部３と事例検索部２、結果表示部４、そして各種データベース５１〜５４から構成されたもので、事例検索部２は設備転用可能判断機能部２０と、製造費用概算機能部２１と、製造準備日数算出機能部２２、そして修繕対応機能部２３とを備えたものとなっており、ハードウェア的には図２に示すように、事例検索部２を構成する制御回路（ＣＰＵ）、上記データベース５１〜５４を格納した記憶装置５、結果表示部７であるディスプレー７及び印刷装置６、設計仕様入力部３を構成する入力装置で形成されている。なお、ディスプレー７や入力装置はＬＡＮやインターネットで制御回路に接続された別のパーソナルコンピュータ上にあってもよい。
【００１４】
図３は上記設計支援システムが対象としている製品の一例を示しており、複数の信号端子１０ｂと本体ケース１０ａで構成される本体１０と、バッテリ端子１２ｂとバッテリ端子ボディ１２ａで構成されるバッテリ端子１２、そして本体１０をカバーする金属カバー１１からなる図示の製品は、例えば信号端子１０ｂが８芯用の本体ケース１０ａを製造するための設備（金型）が図４(a)に示すように左右二つ割の金型１５ａ，１５ｂで構成され、１０芯用の本体ケース１０ａは図４(b)に示すように、上記の金型１５ａ，１５ｂ間に付加設備（付加金型）１６を配設することで、対応できるようになっている。
【００１５】
上記データベース中における設計事例データベースは、図５に示すように、過去に設計した製品の情報を設計仕様値と構成する部品毎に製造に必要な設備と関連付けて格納しているもので、図中の商品品番Ａ０３１０１１２（信号端子：１０芯／ハ゛ッテリ端子：１−１芯／バッテリ：５．５）は、その信号端子部金型が、上記例のように８芯の基本金型に１０芯対応用のパーツ（付加金型）を付加したものとなっている場合を示している。
ちなみに、商品品番Ａ０３０８１１１は、信号端子部が基本金型ＫＡ０８１で製造可能なので、パーツ１の項目は値が入っていない。
【００１６】
他のデーターベースのうち、設備（金型）情報データベース５２は、設備毎に対応仕様の範囲と対応範囲の仕様の製品を製造するために必要な付加設備（パーツ）の情報を関連付けて格納しているもので、図６(a)は信号端子部用の設備についてのものを、図６(b)はバッテリ端子部用の設備についてのものを示している。
【００１７】
そして事例検索部２は、設計仕様入力部３から入力された入力された設計仕様を、設計事例データベース（ＤＢ）５１の中から、各部品毎に製造可能かどうかを調べ、１つでも製造可能である既存商品が類似事例として選択する。つまり、図７に示す３つの円で囲まれる領域に入るを類似事例として選択し、さらには選択したものについて図８に示すように類似度を判定して、類似事例を類似度と共に結果表示部４に表示する。
【００１８】
処理詳細を図示例のデータベース５１，５２を備えたものについて説明すると、入力された設計仕様が信号端子数１２、バッテリ芯数１−２、バッテリ高さが５．５である場合、事例検索部２は信号端子部製造可能金型を抽出する。これは設備情報データベース５２より信号端子の情報を読み込んで、基準芯数＝１２か基準芯数＜１２≦対応範囲のデータを選択する。図６(a)に示すものでは３行目(KA0811)と１０行目(KA1411)以外の８つの金型が選択される。
【００１９】
また、バッテリ製造可能金型の抽出も行う。これは設備情報データベース５２よりバッテリの情報を読み込んで、入力仕様のバッテリ芯数が１−２であることから、基準芯数＝１−２か、基準芯数＜１−２≦対応範囲であり、且つバッテリ高さが５．５のデータを選択する。図６(b)に示すものでは、１、２、５行目の３つの金型（KB111,KB1111,KB121)が選択されることになる。
【００２０】
そして事例検索部２は、同様にして製品を構成する部品の製造可能な設備という条件で設備情報データベース５２から該当の部品のデータを選択し、全部品について製造可能設備のチェックが完了した時点で、製造可能設備（金型）を使用している既存品番を設計事例データベース５１から選択する。上記で選択された信号端子用金型とバッテリ用金型を使用している品番は、設計事例データベース５１中の使用金型の項目（信号端子部、バッテリ部）に一致するレコードを選択することで行う。
【００２１】
図５に示した設計事例データベース５１では、図１２に示すように信号端子製造可能な金型を使用している品番は、４行目（A0308211）以外の９つの品番が、またバッテリ部では、１，２，４，５，８行目（A0308111,A0308121,A0308211,A0310111,A0312121）の品番が該当し選択されるとともに、これらの選択されたデータの和集合をとることから、この場合、１から１０行目全てのレコードが対象として選択されることになる。
【００２２】
次いで事例検索部２は選択したデータの並び替えを行う。この並び替えについて、各種の例を提示するが、基本的な並び替えは次のようになる。すなわち、それぞれの部品（信号端子部、バッテリ部）について、入力仕様の設計仕様と、設備情報データベース５１のの基本仕様（基準芯数、バッテリの場合は高さも）が等しい場合、基本金型のみで製造可能と判断し、図１３に示すように類似度◎を付与する。
【００２３】
上記以外の場合で、設備情報データベース５２中の対応芯数（信号端子、バッテリ）が等しい（バッテリの場合は高さも等しい）場合、付加設備を使用して製造可能と判断し、図１３に示すように類似度○を付与する。上記に合致しない場合は、既存の設備で製造できない部品として×を付与する。例えば A0312121の信号端子部金型KA102は、基準芯数１０で、対応芯数１が１２となっているので、付加設備で製造可能で信号端子類似度は○になり、A0312112の信号端子部金型KA121は、基準芯数１２なので類似度は◎となる。一方、A0310111の信号端子部金型KA101は、基準芯数１０で、対応芯数に１４しかないので、既存設備では製造不可能なので×となる。
【００２４】
このように類似度が事例検索部２によって判定されて判定結果が付与されるとともにこの判定結果も同時に表示されるために、該システムのオペレータは新たな設計事例に適用することができる過去の設計事例を適切に選び出すことができる。特に上記で◎であれば評点２を、○であれば評点１を、×であれば評点０を付与し、各々の品番についての評点を加算して総合類似度を算出し、合計の評点が大きい順に総合類似度が高いとして並び替えると、過去の設計事例をより適切に選び出すことができる。
【００２５】
ちなみに同一仕様になっている個数が多い順で並び替えるだけでは、つまりは図１４に示すように、信号端子芯数とバッテリ芯数とバッテリ芯数の３つの仕様が合致するものを最上位に、信号端子芯数とバッテリ高さの２つが合致するものを次点にというように並び替えた場合、８行目のA0308211はバッテリ高さが一致して８番目の類似度となっているが、実際は信号端子部の金型KA0811（３行目）は、基準芯数１０で且つ対応範囲１０なので、１２芯の信号端子を作るためには新たな金型投資が必要となり、過去事例としては選択しない方が良いのであるが、これが類似度で上位に位置してしまうことは好ましくない。      
【００２６】
選択されたデータの並び替えの他例について説明すると、これは請求項２の発明に係るもので、それぞれの部品（信号端子部、バッテリ部）について、入力仕様の設計仕様に対し既存の基本設備のみ、あるいは既存の付加設備を利用して製造可能かどうかを判定するこの処理は上述の通りである。次いで入力仕様が設備情報データベース５２の対応範囲内（信号端子の場合：基準芯数＜１２≦対応範囲）ではあるが、既存の付加設備のない場合（対応芯数１≠１２ and 対応芯数２≠１２and ・・・）は、新たに付加設備を作成すれば製造可能になる。この時の類似度を上記の◎、○、×に追加して△とする。そして、◎であれば評点３、○であれば評点２、△であれば評点１、×であれば評点を０として、各々の品番について加算して総合類似度として計算し、合計の評点が大きい順に総合類似度が高いとして並び替える。図１５にこの場合の例を示す。
【００２７】
既存の設備の有無だけで判定している場合、同じ設計パラメータを持つ既存品番が類似度において当然上位にくるが、上記のようにすれば、付加設備で対応できる範囲のものが対応できないものより上位に位置させることが可能であり、この場合、例えば４行目の品番A0308111は、設計者が類似品を選択して流用設計する場合に有効である。
【００２８】
また、類似度の各々に応じた評点を、例えば◎や○は既存設備があるので△よりもかなり優位となるように、×は対応不可能なのでできるだけ不利にする重み付けをして付与することで、より実情に応じた類似度の判定をする事が可能となる。図１６は◎に対して１０の評点を、○には９、△には５、×には０付与するという重み付けを行った場合を示している。総合類似度での順番は図１５に示したものと変わらないが、総合類似度の点で選択された各々間での類似度の違いを明確にすることができる。
【００２９】
つまり、図１５に示したものでは、１行目A0312121と２行目A038121とが同じ総合類似度と判定されているが、実際は１行目のA0312121の方が、信号端子部、バッテリ部共に既存の設備を有しており、製造可能性の類似度でいうと、２行目より優位になるはずである。よって、製造可能性の低いほうの重みを、高いほうに比べてより低く設定する事で、上表のように、１行目と２行目との間で、総合類似度として明確な差異をつける事が可能で、設計者に優位な類似例を的確に知らせる事が可能となる。
【００３０】
次に請求項４の発明について説明すると、これは類似度の重みつけを各々の部品間での類似度への関与の度合いに応じたものとすることを可能にする。例えば、信号端子部の金型を製造するのはバッテリ部の金型を製造する場合に比べてはるかに手間がかかる場合、製造性に関して信号端子部への重み付けを大きく設定しておく事で、信号端子部の類似度合いの大きな品番程、類似度が高いと判定されるようにするのである。図１７は信号端子部に０．７の重み付けを、バッテリ部には０．３の重み付けをして、並び替えた例である。なお、◎、○、△、×の評点は前記の例の場合と同じである。
【００３１】
図１６に示したものでは、その２〜４行目のように、信号端子部かバッテリ部のいずれかが製造可能な場合に高い類似度と判定されている。しかし、製造性に関する重み付けを付加することで、信号端子を既存設備のみで製造可能であるものを優位とすることができる。
【００３２】
次に請求項５に係る発明について説明する。設備情報データベース５１に、保有している設備の台数と、稼動状況を関連付けて格納しておく。図１９に示す例では、それぞれの金型に連番をつけて、それぞれの製造中の芯数と使用するパーツとを格納している。例えば、２３，２４行目はKA101の金型が２台あり、１台目（２３行目）は１０芯製造に対応し、２台目（２４行目）はパーツP0401を使用して１４芯製造に対応していることを示しており、また２５〜２７行目はKA102金型で、この３台の金型は現在１０芯製造に対応している。ここで、このKA102はP022のパーツを使用すれば１２芯に対応できる。また、金型パーツの稼動状況（先の１週間単位で対象の金型が使用可能かどうか（○または×））を、設備情報データベース５２中に格納している。図２０は設備稼働状況を格納したパーツ用の金型についての設備情報データベース５２を示している。図１９に示す例では、２５〜２７行目のKA102は、連番１と連番２の金型が３Ｗ（３週間）後まで×となっているために使用できないことを、連番３の金型が逆に３Ｗ後まで使用可能であることを示している。
【００３３】
類似度判定による並べ替えで図１８に示すものが得られた時、類似度ではA0312121が最上位と判定されているが、この品番はその信号端子が金型KA102とパーツP022を使用して製造されており、図１９から金型KA102は連番３のものを使用でき、パーツP022も図２０(a)の状態であれば、同様に使用可能であることから、この品番は確実に製造に使用することができると判定される。しかし、パーツP022が図２０(b)に示すように３Ｗ後まで使用不可であれば、結局A0312121の品番は類似度は高いが、製造する金型が使用できず、新たに金型を作成するか、空くまで待つ必要があることになる。この場合は、２行目以降の品番の方が即対応できる可能性があることがわかる。
【００３４】
請求項６の発明について次に説明する。これは部品毎にそれぞれの金型（設備）と基本設備（基準芯数）の製造費用と付加設備にて対応可能な芯数と、その付加設備を製造する費用とを格納した製造費用データベース５３を設けておく。図２１は信号端子部に関する製造費用データベース５３の一例を、図２２はバッテリ部に関する製造費用データベース５３の一例を示しており、信号端子部では、KA081の金型は基準芯数が８芯で、その製造費用が１００万円、そして１０芯に対応する付加設備（パーツ）の製造費用が１０万円で、１２芯に対応するパーツを作成するには１０万円であり、バッテリ部ではKB111が基準芯数１−１でその製造費用が２５万円、１−２芯に対応するパーツの製造費用が２万円、２−１芯のパーツも同じく２万円であることが示されている。なお、図中の−の部分は、それ以上に対応できる範囲が無いことを示している。
【００３５】
そして事例検索部２が事例を検索する際に、その品番を製造する金型から製造費用データベース５３をを検索する事で“その品番を製造する費用”＝“全部品についてΣ（基準金型製造費用＋（付加設備が必要なら付加設備の製造費用）”を計算し、類似度の判定に該当の設備の製造が必要となる場合の製造費用の概算を算出して決定する。
【００３６】
なお、製造費用の集計には、評点が△の場合の部品のみ新規に必要な製造費用として算出してもいいし、設備が使用中であるために新たに作成しないといけない場合を考慮して算出してもいいし、全部品の設備を製造する場合の費用概算として算出しても構わない。      
【００３７】
請求項７の発明においては、部品毎にそれぞれの金型（設備）と基本設備（基準芯数）の製造や調整などの製造準備に要する日数（以降、製造準備日数）と付加設備にて対応可能な芯数と、その付加設備の製造準備日数とを格納した製造準備日数データベース５４を設けておく。図２３は信号端子部についての製造準備日数データベース５４の一例を示しており、KA081の金型は基準芯数は８芯で、その製造準備日数は２１日、１０芯に対応する付加設備（パーツ）の製造準備日数は７日で、１２芯に対応するパーツを作成するには１２日かかることを示している。図２４はバッテリ部についての製造準備日数データベース５４の一例を示しており、パーツKB111は、基準芯数１−１でその製造準備日数は１０日であり、１−２芯に対応するパーツの製造準備日数は５日、２−１芯のパーツは４日であることを示している。なお、−の部分は、それ以上に対応できる範囲が無いことを示している。
【００３８】
そして事例検索部２が事例を検索する際に、その品番を製造する金型から製造準備日数データベース５４も検索する事で、“その品番の製造準備に要する日数”＝“全部品についてΣ（基準金型製造準備日数＋（付加設備が必要なら付加設備の製造準備日数）”を計算し、類似度の判定に該当の設備の製造が必要となる場合の製造準備日数の概算を算出して決定する。
【００３９】
そして請求項８の発明では、設備情報データベース５１に、保有している設備の台数と、現在の状態（稼動中か修繕中か）と修繕に要する日数と費用とを関連付けて格納する。図２５に示す信号端子（基準金型）では、２３行目KA101が、３Ｗ目までは使用不可能であるが、これは同レコードの状態の項目を見ると“修繕中”になっているので故障のため使用不可能になっている事がわかる。状態としては“稼動中”、“故障中”、“修繕中”などが考えられる。そして、修繕中の状態に対して、修繕に要する費用と日数が関連付けられて格納されており、２３行目の例では修繕日数が１０日で費用が２０万円である。また、図２６に示す付加パーツの設備情報データベース５１を見ると、パーツP022は“故障中”で、修繕する場合には１０日、３万円かかる事が分かる。
【００４０】
事例検索して類似度を判定する際に、これらの情報も参照すれば、故障中や修繕中の設備を使用すると、何日かかりいくらの費用が必要かという事がわかることになる。
【００４１】
以上の各例を全て実施する場合のフローチャートを図１０及び図１１に示す。
【図面の簡単な説明】
【００４２】
【図１】本発明の実施の形態の一例のブロック図である。
【図２】同上のハードウェア的なブロック図である。
【図３】製品の一例を示すもので、(a)は斜視図、(b)は分解斜視図である。
【図４】(a)(b)は同上の製造用の金型の構成例を示す斜視図である。
【図５】設計事例データベースの一例の説明図である。
【図６】(a)(b)は設備情報データベースの一例の説明図である。
【図７】図７は抽出に関する説明図である。
【図８】事例検索結果の一例を示す説明図である。
【図９】基本フローを示すフローチャートである。
【図１０】詳細フローを示すフローチャートである。
【図１１】詳細フローを示すフローチャートである。
【図１２】事例検索結果の他例を示す説明図である。
【図１３】事例検索結果の更に他例を示す説明図である。
【図１４】事例検索結果の他例を示す説明図である。
【図１５】事例検索結果の別の例を示す説明図である。
【図１６】事例検索結果の更に別の例を示す説明図である。
【図１７】事例検索結果の他の例を示す説明図である。
【図１８】事例検索結果の他例を示す説明図である。
【図１９】設備稼働状況も格納した設備情報データベースの一例の説明図である。
【図２０】(a)(b)は設備稼働状況も格納した設備情報データベースの他例の説明図である。
【図２１】製造費用データベースの一例の説明図である。
【図２２】製造費用データベースの他の例を示す説明図である。
【図２３】製造準備日数データベースの一例の説明図である。
【図２４】製造準備日数データベースの他の例を示す説明図である。
【図２５】他例の説明図である。
【図２６】他例の説明図である。
【符号の説明】
【００４３】
２  事例検索部
３  設計仕様入力部
４  結果表示部
５１  設計事例データベース  
５２  設備情報データベース
【図１】
2006092484.tif 000003
【図２】
2006092484.tif 000004
【図３】
2006092484.tif 000005
【図４】
2006092484.tif 000006
【図５】
2006092484.tif 000007
【図６】
2006092484.tif 000008
【図７】
2006092484.tif 000009
【図８】
2006092484.tif 000010
【図９】
2006092484.tif 000011
【図１０】
2006092484.tif 000012
【図１１】
2006092484.tif 000013
【図１２】
2006092484.tif 000014
【図１３】
2006092484.tif 000015
【図１４】
2006092484.tif 000016
【図１５】
2006092484.tif 000017
【図１６】
2006092484.tif 000018
【図１７】
2006092484.tif 000019
【図１８】
2006092484.tif 000020
【図１９】
2006092484.tif 000021
【図２０】
2006092484.tif 000022
【図２１】
2006092484.tif 000023
【図２２】
2006092484.tif 000024
【図２３】
2006092484.tif 000025
【図２４】
2006092484.tif 000026
【図２５】
2006092484.tif 000027
【図２６】
2006092484.tif 000028